(57)【要約】【課題】施工が簡単で、基礎強度低下のおそれがなく、建物内に入ることなく容易に配管内を清掃することができ、狭小な敷地でも採用可能な、排水システムを提供する。【解決手段】建物（図示せず）の外周基礎１が設けられた領域内に、屋内排水設備からの排水を流す複数の枝管２，３，４と、これらの枝管２，３，４が接続された集合桝５とが配置され、集合桝５と枝管２，３，４との接続部分のそれぞれの直角上方に枝管２，３，４と同数の清掃口６，７，８が設けられ、これらの清掃口６，７，８を開閉可能に閉塞する蓋体６ａ，７ａ，８ａが設けられた排水システムである。外周基礎１の一部には開口部９が設けられ、この開口部９の外側には閉塞部材１０がねじ１３によって開閉可能に取り付けられている。【選択図】  図１
2005256284.tif 000002
【特許請求の範囲】
【請求項１】
建物の外周基礎が設けられた領域内に、屋内排水設備からの排水を流す複数の枝管と、複数の前記枝管が接続された集合桝と、前記集合桝に設置された清掃口と、前記清掃口を開閉可能に閉塞する蓋体とを備えた排水システムにおいて、
前記清掃口から前記枝管内への維持管理器具の導入が可能な位置に前記清掃口を設け、前記外周基礎の外側から前記蓋体を開閉可能な位置に前記集合桝を設置したことを特徴とする排水システム。
【請求項２】
建物の外周基礎が設けられた領域内に、屋内排水設備からの排水を流す複数の枝管と、複数の前記枝管が接続された集合桝と、前記集合桝に基端部が接続され先端部に清掃口を有する維持管理器具導入用の連結管と、前記清掃口を開閉可能に閉塞する蓋体とを備えた排水システムにおいて、
前記清掃口から前記枝管内への維持管理器具の導入が可能な位置に前記連結管の基端部を配置し、前記外周基礎の外側から前記蓋体を開閉可能な位置に前記連結管の先端部を配置したことを特徴とする排水システム。
【請求項３】
前記外周基礎の一部に設けられた開口部に臨む位置に前記清掃口を配置した請求項１または２記載の排水システム。
【請求項４】
前記外周基礎の外側に前記清掃口が位置するように前記連結管の先端部を配置した請求項２記載の排水システム。
【発明の詳細な説明】
【技術分野】
【０００１】
本発明は、戸建て住宅などの建物の床下に配備される排水システムに関する。
【背景技術】
【０００２】
従来、戸建て住宅などの建物においては、台所、洗面所、風呂、トイレなどの屋内排水設備から流される排水は、これらの排水設備に配管された排水枝管を通じて、建物の外周領域に埋設された複数の汚水桝に流入し、これらの汚水桝の間に配管されている排水管を通じて公共桝に流れ込んだ後、公道に埋設された下水本管へ排水される排水システムが採用されている。
【０００３】
しかしながら、このような排水システムは、多くの汚水桝を埋設しなければならず、排水枝管を配管するために建物の基礎外周に多くの貫通部を形成する必要があり、狭小な敷地では、多くの汚水桝の埋設を行う施工が困難である。
【０００４】
そこで、このような問題を解決するため、集中汚水桝（排水ヘッダー）を建物の床下に配置し、複数の屋内排水設備から流される排水を排水ヘッダーで合流させた後、建物の外周へ流すようにした排水システムが開発されている。しかしながら、この排水システムにおいては、排水ヘッダーが建物の床下に配置されているため、清掃やメンテナンスを行う場合、作業者が建物の内部へ入る必要がある。したがって、清掃やメンテナンスのたびに建物の居住者の立会いが必要となり面倒であり、床下スペースが狭いので作業性も悪い。また、居住者が留守の際には作業者が無断で建物内部に入れないので、清掃などの作業を行うことができないなどの問題もある。
【０００５】
さらに、清掃やメンテナンスに使用する工具の搬入・搬出の際あるいは着衣が汚れた状態での作業者の出入りなどによって建物内部が汚損するのを防止するために、作業現場付近にシートを付設するなどの養生が必要である。このため、これらの養生に多大な労力と資材が費やされ、作業時間の増大を招いている。そこで、このような問題を解決するとともに、メンテナンス性の向上も図った排水システムとして、特許文献１，２に記載されているものがある。
【０００６】
【特許文献１】特開２０００−２１３０２６号公報（第３−１１頁）
【特許文献２】特開２００１−２２０７９１号公報（第４−９頁）
【発明の開示】
【発明が解決しようとする課題】
【０００７】
特許文献１に記載された排水システムにおいては、合流部材、点検部材および屈曲部材などにそれぞれ連通された複数の点検管を配管するために、建物の外周基礎に複数の挿通孔を設けなければならないため、基礎強度が低下するおそれがある。また、メンテナンスや清掃を行う場合、点検管から清掃できる範囲は建物内部の各排水設備からの屋内配管（枝管）に限られているため、十分な清掃ができず、メンテナンス性も悪い。さらに、全ての挿通孔の外側に十分な作業スペースがなければ、清掃やメンテナンスができないので、建物の周囲が狭小である場合、清掃などができない挿通孔が生じる可能性もある。
【０００８】
特許文献２に記載された排水システムにおいても同様、外周基礎に複数の開口（孔）を設けなければならないので、基礎強度が低下するおそれがあり、複数の開口（孔）全ての外側に十分な作業スペースを確保することは困難であるため、狭小な敷地では採用できないことがある。また、この排水システムの場合、清掃用の管継手は、建物の外周基礎の内側に沿って配管された排水主管に接続されているため、排水主管の清掃しかできない。
【０００９】
本発明が解決しようとする課題は、施工が簡単で、基礎強度低下のおそれがなく、建物内に入ることなく容易に配管内を清掃することができ、狭小な敷地でも採用可能な、排水システムを提供することにある。
【課題を解決するための手段】
【００１０】
本発明の排水システムは、建物の外周基礎が設けられた領域内に、屋内排水設備からの排水を流す複数の枝管と、これらの枝管が接続された集合桝と、集合桝に設置された清掃口と、清掃口を開閉可能に閉塞する蓋体とを備えた排水システムにおいて、清掃口から枝管内への維持管理器具の導入が可能な位置に清掃口を設け、外周基礎の外側から蓋体を開閉可能な位置に集合桝を設置したことを特徴とする。
【００１１】
ここで、「集合桝」とは、戸建住宅において、台所、洗面所、風呂、トイレなどの屋内排水設備からの複数の排水配管を床下にて合流させる汚水桝のことをいう。また、「維持管理器具」とは、排水管の詰まりを除去する際に用いる専用器具であり、例えば、ワイヤで製作された「詰まり除去器具」あるいは高温洗浄ノズル付きホースと高圧ポンプとで構成された「高圧洗浄機」などをいう。
【００１２】
また、「清掃口から枝管内への維持管理器具の導入が可能な位置」とは、枝管が集合桝本体に接続されている開口部を直視することができる位置にあり、さらに、清掃口から挿入する維持管理器具の先端が、清掃口の外側から軸方向に押されることにより、集合桝本体へ突き出され、その後、さらに押し込まれることにより、枝管が集合桝本体と接続されている開口部に維持管理器具の先端が挿入され、枝管の奥へ挿入されていくことができる位置をいう。さらに、「外周基礎の外側から蓋体を開閉可能な位置」とは、外周基礎に設けられた開口部から片方の腕を挿入して蓋体に到達可能な、概ね５０ｃｍ程度の範囲内の位置をいう。
【００１３】
このような構成とすることにより、屋内排水設備の複数の枝管を屋内側から屋外側へ配管するための複数の開口部を外周基礎に設ける必要がなくなるため、施工が簡単となり、基礎強度低下のおそれもなくなる。また、枝管内への維持管理器具の導入が可能な清掃口を有する集合桝を、外周基礎の外側から蓋体を開閉可能な位置に配置しているため、建物内に入ることなく容易に配管内を清掃することができ、集合桝付近のみに作業スペースを確保すればよいので、狭小な敷地でも採用可能となる。
【００１４】
また、本発明の排水システムは、建物の外周基礎が設けられた領域内に、屋内排水設備からの排水を流す複数の枝管と、これらの枝管が接続された集合桝と、集合桝に基端部が接続され先端部に清掃口を有する維持管理器具導入用の連結管と、清掃口を開閉可能に閉塞する蓋体とを備えた排水システムにおいて、清掃口から枝管内への維持管理器具の導入が可能な位置に連結管の基端部を配置し、外周基礎の外側から蓋体を開閉可能な位置に連結管の先端部を配置したことを特徴とする。
【００１５】
ここで、「清掃口から枝管内への維持管理器具の導入が可能な位置」とは、清掃口の外側から軸方向に押されて当該清掃口から挿入された維持管理器具の先端が、連結管を通って集合桝本体へ到達して、連結管が集合桝本体へ取り付けられている基端部を通って、枝管が集合桝本体に接続されている開口部の方向へ挿入され、さらに、その先端が枝管の奥へ挿入されていくことができる位置をいう。また、「外周基礎の外側から蓋体を開閉可能な位置」とは、外周基礎に設けられた開口部から片方の腕を挿入して蓋体に到達可能な、概ね５０ｃｍ程度の範囲内の位置をいう。
【００１６】
このような構成とすることにより、前述と同様、屋内排水設備からの複数の枝管を屋内側から屋外側へそれぞれ配管するための複数の開口部を外周基礎に設ける必要がなくなるため、施工が簡単となり、基礎強度低下のおそれもなくなる。また、枝管内への維持管理器具の導入が可能な清掃口を有する連結管を、外周基礎の外側から蓋体を開閉可能な位置に配置しているため、建物内に入ることなく配管内を容易に清掃することができ、集合桝付近のみに作業スペースを確保すればよいので、狭小な敷地でも採用可能となる。
【００１７】
さらに、枝管内への維持管理器具の導入が可能な清掃口を有する連結管を集合桝に接続しているため、集合桝を外周基礎近傍に設置する必要がなく、集合桝が建物の領域内のどこにあっても支障がない。
【００１８】
ここで、外周基礎の一部に設けられた開口部に臨む位置に清掃口を配置することが望ましい。このような構成とすれば、外周基礎の開口部から清掃口内へ維持管理器具を挿入して配管内の清掃を行うことができるようになるため、作業性が向上する。
【００１９】
一方、外周基礎の外側に清掃口が位置するように連結管の先端部を配置することもできる。このような構成とすれば、外周基礎の外側に位置する清掃口から維持管理器具を挿入して配管内の清掃を行うことができるようになるため、作業性がさらに向上する。また、清掃の際に清掃口から汚物や汚水が建物の基礎内に落下することがなく、点検の際に清掃口を開いても、建物内部に臭気が侵入することもない。
【発明の効果】
【００２０】
本発明により、以下の効果を奏する。
【００２１】
（１）建物の外周基礎が設けられた領域に、屋内排水設備からの排水を流す複数の枝管と、これらの枝管が接続された集合桝と、集合桝に設置された清掃口と、清掃口を開閉可能に閉塞する蓋体とを備えた排水システムにおいて、清掃口から枝管内への維持管理器具の導入が可能な位置に清掃口を設け、外周基礎の外側から蓋体を開閉可能な位置に集合桝を設置したことにより、施工が簡単となり、基礎強度低下のおそれもなく、建物内に入ることなく容易に配管内を清掃することができ、狭小な敷地でも採用可能となる。
【００２２】
（２）建物の外周基礎が設けられた領域内に、屋内排水設備からの排水を流す複数の枝管と、これらの枝管が接続された集合桝と、集合桝に基端部が接続され先端部に清掃口を有する維持管理器具導入用の連結管と、清掃口を開閉可能に閉塞する蓋体とを備えた排水システムにおいて、清掃口から枝管内への維持管理器具の導入が可能な位置に連結管の基端部を配置し、外周基礎の外側から蓋体を開閉可能な位置に連結管の先端部を配置したことにより、施工が簡単となり、基礎強度低下のおそれもなく、建物内に入ることなく容易に配管内を清掃することができ、狭小な敷地でも採用可能となる。また、集合桝が建物の領域内のどこにあっても支障がない。
【００２３】
（３）外周基礎の一部に設けられた開口部に臨む位置に清掃口を配置すれば、外周基礎の開口部から清掃口内へ維持管理器具を挿入して配管内の清掃を行うことができるようになるため、作業性が向上する。
【００２４】
（４）外周基礎の外側に清掃口が位置するように連結管の先端部を配置すれば、外周基礎の外側に位置する清掃口から維持管理器具を挿入して配管内の清掃を行うことができるようになるため、作業性がさらに向上する。また、清掃の際に清掃口から汚物や汚水が建物の基礎内に落下することがなく、点検の際に清掃口を開いても建物内部に臭気が侵入することもない。
【発明を実施するための最良の形態】
【００２５】
以下、本発明の第１実施形態である排水システムについて説明する。図１は本発明の第１実施形態である排水システムを示す斜視図であり、図２は図１に示す排水システムの平面図であり、図３は図２におけるＡ−Ａ線断面図である。また、図４は主管が建物の基礎を貫通する部分を示す垂直断面図であり、図５は主管が建物の基礎を貫通する部分のその他の実施の形態を示す垂直断面図である。
【００２６】
図１〜図３に示すように、本実施形態の排水システムは、建物（図示せず）の外周基礎１が設けられた領域内に、屋内排水設備からの排水を流す複数の枝管２，３，４と、これらの枝管２，３，４が接続された集合桝５とが配置されている。この集合桝５と枝管２，３，４との接続部分の直角上方に枝管２，３，４と同数の清掃口６，７，８が設けられ、これらの清掃口６，７，８をそれぞれ開閉可能に閉塞する蓋体６ａ，７ａ，８ａが設けられている。また、外周基礎１の一部には、開口部９が設けられ、この開口部９の外側には閉塞部材１０が付設されている。閉塞部材１０は、複数のねじ１３によって外周基礎１の外面に固定されているため、着脱可能である。
【００２７】
集合桝５においては、枝管２，３，４内への維持管理器具の導入が可能な位置に清掃口６，７，８が設けられ、集合桝５は、外周基礎１の外側から蓋体６ａ，７ａ，８ａを開閉可能な位置に設置されている。すなわち、これらの清掃口６，７，８は外周基礎１の開口部９に臨む位置に配置されている。集合桝５は、外周基礎１の内側において、開口部９から視認できる位置に配置され、支持部材１１によって基礎面１２の上方で、作業者が開口部９を通して蓋体６ａ，７ａ，８ａを開閉可能な高さに固定されている。
【００２８】
屋内の排水設備（図示せず）から排出された排水は、複数の枝管２，３，４をそれぞれ経由して集合桝５内へ流入した後、集合桝５の下流側に接続された主管１４を通って排出される。この集合桝５は、図３に示すように、垂直断面が略卵形をした筒状体であり、集合桝５の側面に接続された枝管２，３，４から流入した排水は、筒状体をした集合桝５の軸方向に流れ、主管１４へ流入するようになっている。
【００２９】
図４に示すように、主管１４の下流側は、建物の外周基礎１を貫通して埋設されたさや管１９内に挿通された排水可撓管２０に接続され、この排水可撓管２０の下流側が、汚水桝２２に連通する排水管２１に接続されている。したがって、集合桝５から主管１４に流れ込んだ排水は、さや管１９内の排水可撓管２０および排水管２１を経由して、外周基礎１の外側にある汚水桝２２に流れ込んだ後、建物敷地外の公道に埋設された下水本管へ排水される。
【００３０】
本実施形態の排水システムにおいては、複数の枝管２，３，４を外周基礎１の外側まで配管するために、外周基礎１に複数の開口部を設ける必要がないので、施工は簡単であり、外周基礎１の強度が低下するおそれもない。また、これらの枝管２，３，４内への維持管理器具の導入が可能な清掃口６，７，８を有する集合桝５を、外周基礎１の外側から開口部９を通して蓋体６ａ，７ａ，８ａを開閉可能な位置に配置している。
【００３１】
このため、枝管２，３，４内の清掃を行う場合、建物内に入ることなく容易に配管内を清掃することができる。また、清掃作業を行う場合、集合桝５のある開口部９付近のみに作業スペースを確保すればよいので、外周基礎１の外側が狭い狭小な敷地であっても採用可能である。
【００３２】
このように、本実施形態の排水システムにおいては、建物内に入ることなく容易に配管内を清掃することができるため、汚損防止のためのシート敷設などの養生や、建物の居住者の立ち会いなども不要となり、清掃作業を効率的に遂行することができるだけでなく、居住者が留守であっても清掃作業が可能となる。また、清掃作業そのものの作業性も従来に比べ大幅に向上する。
【００３３】
前述したように、清掃口６，７，８は集合桝５の上面に設けられ、この位置は外周基礎１の開口部９に臨む位置であるため、ねじ１３を緩めて閉塞部材１０を取り外して開口部９を開放すれば、蓋体６ａ，７ａ，８ａおよび清掃口６，７，８は開口部９から作業者の手が届く範囲にある。したがって、蓋体６ａ，７ａ，８ａを取り外せば、清掃口６，７，８内へ維持管理器具を挿入して配管内の清掃を行うことが可能であり、作業性は極めて良好である。また、図４で示した汚水桝２２から排水管２１へ維持管理器具を挿入することにより、主管１４内の清掃を行うことも可能である。
【００３４】
本実施形態の排水システムにおいては、集合桝５に３本の枝管２，３，４が接続されているが、本発明はこれに限定するものではなく、建物の規模、排水設備の個数などに応じて枝管の本数が増減しても採用可能な排水システムである。なお、主管１４から汚水桝２２へ至るまでの排水経路については、図４で示したように、さや管１９を用いた配管を行うことができるが、図５に示すように、建物の外周基礎１を直接貫通して配管することも可能である。
【００３５】
次に、図６〜図８を参照して、本発明の第２実施形態である排水システムについて説明する。なお、図６〜図８において図１〜図５と同じ符号を付している部分は、第１実施形態の排水システムと同じ機能、効果を発揮する部分であり、説明を省略する。
【００３６】
図６〜図８に示すように、本発明の排水システムにおいては、図１〜図３に示す集合桝５に相当する集合桝１５を基礎外周１の領域内に配置し、集合桝５の清掃口６，７，８に相当する位置に連結管１６，１７，１８の基端部１６ａ，１７ａ，１８ａを接続し、先端部１６ｂ，１７ｂ，１８ｂを、基礎外周１の開口部９の内部に配置している。先端部１６ｂ，１７ｂ，１８ｂの開口部分が清掃口１６ｄ，１７ｄ，１８ｄであり、清掃口１６ｄ，１７ｄ，１８ｄにはそれぞれ開閉可能な蓋体１６ｃ，１７ｃ，１８ｃが装着されている。
【００３７】
このように、本実施形態の排水システムにおいては、清掃口１６ｄ，１７ｄ，１８ｄから枝管２，３，４内への維持管理器具の導入が可能な位置に連結管１６，１７，１８の基端部１６ａ，１７ａ，１８ａを配置し、外周基礎１の外側から蓋体１６ｃ，１７ｃ，１８ｃを開閉可能な位置である開口部９の内部に連結管１６，１７，１８の先端部１６ｂ，１７ｂ，１８ｂを配置している。
【００３８】
このような構成により、第１実施形態の排水システムと同様、外周基礎１に複数の開口部を設ける必要がなくなるため、施工が簡単であり、外周基礎１の強度が低下するおそれもない。また、枝管２，３，４内への維持管理器具の導入が可能な清掃口１６ｄ，１７ｄ，１８ｄを有する連結管１６，１７，１８を、外周基礎１の外側から蓋体１６ｃ，１７ｃ，１８ｃを開閉可能な位置に配置しているため、建物内に入ることなく配管内を容易に清掃することができる。また、集合桝１５のある開口部９付近のみに作業スペースを確保すればよいので、狭小な敷地でも採用可能である。
【００３９】
本実施形態の排水システムにおいては、集合桝１５の上面から開口部９に向かって連結管１６，１７，１８を延設しているため、開口部９から集合桝１５が離れている場合でも、清掃作業を容易に行うことができる。したがって、建物の構造上の都合などにより、開口部９の近くに集合桝１５を配置できない場合にも好適に採用することができる。すなわち、集合桝１５が、建物の領域内のどこにあっても支障なく排水システムを構築することができる。なお、主管１４の下流側の排水経路については、図４，図５で示した配管を採用することができる。
【００４０】
次に、図９，図１０を参照して、本発明の第３実施形態である排水システムについて説明する。なお、図９，図１０において図１〜図８と同じ符号を付している部分は、第１，２実施形態の排水システムと同じ機能、効果を発揮する部分であり、説明を省略する。
【００４１】
図９，図１０に示すように、本実施形態の排水システムは、図６〜図８で示した排水システムと類似した構成であるが、外周基礎１に、図６〜図８で示した開口部９を設けることなく、外周基礎１を直接貫通して連結管１６，１７，１８を配管することにより、これらの先端部１６ｂ，１７ｂ，１８ｂが外周基礎１の外側に位置するように配置している。
【００４２】
このような構成とすれば、外周基礎１の外側に位置する清掃口１６ｄ，１７ｄ，１８ｄの蓋体１６ｃ，１７ｃ，１８ｃを開けば、清掃口１６ｄ，１７ｄ，１８ｄから維持管理器具を挿入して配管内の清掃を行うことができるため、作業性がさらに向上する。また、外周基礎１に、図６〜図８で示した開口部９を設けていないので、外周基礎１の強度が低下することもない。
【００４３】
また、清掃口１６ｄ，１７ｄ，１８ｄが外周基礎１の外側に位置し、連結管１６，１７，１８の外周と外周基礎１との間に隙間がないので、清掃の場合、清掃口１６ｄ，１７ｄ，１８ｄから汚物や汚水が外周基礎１の内側に落下することがなく、点検の際に清掃口１６ｄ，１７ｄ，１８ｄを開いても、建物の内部に臭気が侵入することもない。なお、主管１４の下流側の排水経路については、図４，図５で示した配管を採用することができる。
【００４４】
前述したように、本実施形態の排水システムでは、連結管１６，１７，１８は、外周基礎１を直接貫通して配管しているが、このような配管形態に限定するものではなく、図６〜図８で示したように、外周基礎１に開口部９を設けるとともに、開口部９の外側に閉塞部材１０を付設し、この閉塞部材１０を貫通して連結管１６，１７，１８を配管し、これらの先端部１６ｂ，１７ｂ，１８ｂが閉塞部材１０の外側に位置するように配置することもできる。
【００４５】
次に、図１１，図１２を参照して、本発明の第４実施形態である排水システムについて説明する。なお、図１１，図１２において図１〜図１０と同じ符号を付している部分は、第１，２，３実施形態の排水システムと同じ機能、効果を発揮する部分であるため、説明を省略する。
【００４６】
図１１，図１２に示すように、本実施形態の排水システムは、図１〜図３で示した排水システムとほぼ同じ構成であるが、集合桝２５に対して、３本の枝管２，３，４のほかに枝管２６が接続されている。枝管２６は、筒状体をした集合桝２５の軸方向の先端部分（主管１４の反対側）に接続され、枝管２６を通じて集合桝２５内へ流入した排水は、そのまま軸方向に流れ、主管１４へ流入する。
【００４７】
このように、集合桝２５に対し、枝管２，３，４と異なる方向から枝管２６を接続することも可能であるため、建物の排水設備（図示せず）からの枝管の配管状況に応じた排水システムを構築することができる。また、集合桝２５に枝管２６を接続した場合、枝管２６から集合桝２５に流入する排水流により集合桝２５内にその軸方向に沿って主管１４へ流入する水流が発生するため、集合桝２５内における排水などの滞留を防止することもできる。
【００４８】
また、主管１４の下流側の排水経路については、図４，図５で示した配管を採用することができるが、本実施形態の場合、主管１４、集合桝２５および枝管２６が略直線上に配置されているため、図４，図５で示した汚水桝２２の部分から主管１４に向かって維持管理器具を挿入することにより、主管１４側から枝管２６内の清掃を行うことができる。
【産業上の利用可能性】
【００４９】
本発明に係る排水システムは、一般住宅の床下に配備される排水システムとして広く利用することができる。
【図面の簡単な説明】
【００５０】
【図１】本発明の第１実施形態である排水システムを示す斜視図である。
【図２】図１に示す排水システムの平面図である。
【図３】図２におけるＡ−Ａ線断面図である。
【図４】主管が建物の基礎を貫通する部分を示す垂直断面図である。
【図５】主管が建物の基礎を貫通する部分のその他の実施の形態を示す垂直断面図である。
【図６】本発明の第２実施形態である排水システムを示す斜視図である。
【図７】図６に示す排水システムの平面図である。
【図８】図７におけるＢ−Ｂ線断面図である。
【図９】本発明の第３実施形態である排水システムを示す平面図である。
【図１０】図９におけるＣ−Ｃ線断面図である。
【図１１】本発明の第４実施形態である排水システムを示す斜視図である。
【図１２】図１１に示す排水システムの平面図である。
【符号の説明】
【００５１】
１  外周基礎
２，３，４，２６  枝管
５，１５，２５  集合桝
６，７，８，１６ｄ，１７ｄ，１８ｄ  清掃口
６ａ，７ａ，８ａ，１６ｃ，１７ｃ，１８ｃ  蓋体
９  開口部
１０閉塞部材
１１  支持部材
１２  基礎面
１３  ねじ
１４  主管
１６，１７，１８  連結管
１６ａ，１７ａ，１８ａ  基端部
１６ｂ，１７ｂ，１８ｂ  先端部
１９  さや管
２０  排水可撓管
２１  排水管
２２  汚水桝
【図１】
2005256284.tif 000003
【図２】
2005256284.tif 000004
【図３】
2005256284.tif 000005
【図４】
2005256284.tif 000006
【図５】
2005256284.tif 000007
【図６】
2005256284.tif 000008
【図７】
2005256284.tif 000009
【図８】
2005256284.tif 000010
【図９】
2005256284.tif 000011
【図１０】
2005256284.tif 000012
【図１１】
2005256284.tif 000013
【図１２】
2005256284.tif 000014